(57)【特許請求の範囲】
【請求項１】
マンション等の集合住宅のベランダにおける隣家間の境界部分に設置される隔て板であって、
隔て板を構成する両側枠を残して開設される開口の上端開口縁に固定される下向き凹溝を有する上部枠と、
上記開口の下端開口縁に固定される上向き凹溝を有する下部枠と、
上端部が上記上部枠の下向き凹溝内に嵌め込まれ、下端部が上記下部枠の上向き凹溝内に落とし込んで嵌め込まれる扉体と、を具備し、
上記下部枠の上向き凹溝内に、上記扉体の厚さ方向の下端縁と当接する複数の剪断可能な支持ピンを横架し、
上記上部枠の下向き凹溝内に、回動することにより上記扉体の上端縁に当接して下方に押圧するレバーを軸支し、
上記レバーの回動操作により上記扉体が下方に押圧されると、上記支持ピンが剪断破壊することによって扉体が上記下部枠の内向き凹溝の下部まで移動すると共に、扉体の上端縁が上記上部枠の下向き凹溝よりも下方に位置し、扉体を押し倒し可能に形成してなる、
ことを特徴とする隔て板。
【請求項２】
請求項１記載の隔て板において、
上記支持ピンは、上記下部枠の上向き凹溝の両側壁近傍に中空部が形成されると共に、中央部に中実部が形成され、上記扉体の下端部には、上記支持ピンの両側中空部を剪断破壊するための突条片が設けられている、ことを特徴とする隔て板。
【請求項３】
請求項１記載の隔て板において、
上記レバーは、該レバーの自由端側における上記扉体の表裏面側に延在する操作片が突設されると共に、ばね部材の弾発力の付勢によって上記上部枠の下向き凹溝内に格納されている、ことを特徴とする隔て板。
【請求項４】
請求項１ないし３のいずれかに記載の隔て板において、
上記上部枠に、該上部枠の下向き凹溝内に位置する上記扉体の上方移動の阻止と、移動阻止の解除が切り換え可能なロック機構を更に具備する、ことを特徴とする隔て板。
【請求項５】
請求項４記載の隔て板において、
上記ロック機構は、上記上部枠の両側片に回動可能に装着される一対の回動板と、これら両回動板の外周部に連結される扉体固定片と、上記回動板の外面における偏心位置に突設される操作突起に係合して上記回動板と扉体固定片を上記扉体の移動阻止位置と、解除位置に切り換える工具と、を具備する、ことを特徴とする隔て板。
【発明の詳細な説明】
【技術分野】
【０００１】
この発明は、例えばマンションなどの集合住宅におけるベランダ等に使用される扉体を備える隔て板に関するものである。
【背景技術】
【０００２】
一般に、マンション等の集合住宅においては、プライバシー保護等のために、バルコニーやベランダ〈以下に、ベランダ等という〉における隣家間の境界部分に隔て板が設置されている。
【０００３】
火災等により、避難が必要な場合、避難器具は各戸毎には備えられていないため、隔て板は、火災発生等の避難が必要となったとき、蹴破って避難装置のある所まで行くことができるように定められている。
【０００４】
従来の隔て板は、珪酸カルシウム板等、破壊可能な材質で形成されており、例えば、隔て板の縦枠と、ベランダの躯体に取り付けられる取付プレートとをボルトとナットを螺合して固定する構造のものが知られている（例えば、特許文献１参照）。
【先行技術文献】
【特許文献】
【０００５】
【特許文献１】特開２００３−１１３６４３号公報
【発明の概要】
【発明が解決しようとする課題】
【０００６】
しかしながら、隔て板を形成する珪酸カルシウム板は破壊可能であっても、力の弱い人は隔て板を蹴破ることは容易ではなく、避難が遅れる危険性を有している。
【０００７】
また、隔て板の一部を破壊したとしても、開口を大きくできない上、開口の周囲が鋭利な状態になってしまい、怪我をする危険性を有している。
【０００８】
更には、マンションは数年おきに改修工事（防水、塗装等の改修作業）が行われるが、改修工事が必要となったときは、隔て板を破壊する訳にはいかないので、建物の外側に足場を組んで各戸にアクセスしているのが現状である。
【０００９】
この発明は、上記事情に鑑みてなされたもので、破壊せずに隔て板の幅のほぼ全域に開設される開口が得られるようにした隔て板を提供する。
【課題を解決するための手段】
【００１０】
上記課題を解決するため、この発明に係る隔て板は、マンション等の集合住宅のベランダにおける隣家間の境界部分に設置される隔て板であって、隔て板を構成する両側枠を残して開設される開口の上端開口縁に固定される下向き凹溝を有する上部枠と、上記開口の下端開口縁に固定される上向き凹溝を有する下部枠と、上端部が上記上部枠の下向き凹溝内に嵌め込まれ、下端部が上記下部枠の上向き凹溝内に落とし込んで嵌め込まれる扉体と、を具備し、上記下部枠の上向き凹溝内に、上記扉体の厚さ方向の下端縁と当接する複数の剪断可能な支持ピンを横架し、上記上部枠の下向き凹溝内に、回動することにより上記扉体の上端縁に当接して下方に押圧するレバーを軸支し、上記レバーの回動操作により上記扉体が下方に押圧されると、上記支持ピンが剪断破壊することによって扉体が上記下部枠の内向き凹溝の下部まで移動すると共に、扉体の上端縁が上記上部枠の下向き凹溝よりも下方に位置し、扉体を押し倒し可能に形成してなる、ことを特徴とする。
【００１１】
このように構成することにより、隔て板を構成する両側枠を残して開設される開口の上下端部に固定される上部枠と下部枠との間に扉体をいわゆる「けんどん式」に嵌め込むことができる。また、避難時には、レバーの回動操作により扉体を下方に押圧して、扉体を支持する支持ピンを剪断破壊することによって扉体を下部枠の内向き凹溝の下部まで移動すると共に、扉体の上端縁を上部枠の下向き凹溝よりも下方に位置させて扉体を押し倒すことにより、避難開口を確保することができる。
【００１２】
ここで、「けんどん式」とは、扉体の上端部を上部枠の下向き凹溝に嵌め込み、扉体の下端部を下部枠の上向き凹溝に嵌め落として扉体を嵌め込み、取り外す場合は、扉体の上端部を上方に移動して扉体の下端部を下部枠の上向き凹溝から外した後、扉体を斜め下方に移動して取り外す方式をいう。
【００１３】
この発明において、上記支持ピンは、上記下部枠の上向き凹溝の両側壁近傍に中空部が形成されると共に、中央部に中実部が形成され、上記扉体の下端部には、上記支持ピンの両側中空部を剪断破壊するための突条片が設けられている方が好ましい。
【００１４】
このように構成することにより、レバーの回動操作によって下方に移動した扉体の下端部に設けられた突条片が支持ピンの両端側の中空部を容易に剪断破壊することができる。
【００１５】
また、この発明において、上記レバーは、該レバーの自由端側における上記扉体の表裏面側に延在する操作片が突設されると共に、ばね部材の弾発力の付勢によって上記上部枠の下向き凹溝内に格納されている方が好ましい。
【００１６】
このように構成することにより、隔て板の両面側から操作片をもってレバーを容易に回動操作することができると共に、回動操作後に扉体を押し倒して開口を確保した後は、レバーはばね部材の弾発力により、上部枠の下向き凹溝内に格納されるので、避難者の避難の邪魔にならない。
【００１７】
また、この発明において、上記上部枠に、該上部枠の下向き凹溝内に位置する上記扉体の上方移動の阻止と、移動阻止の解除が切り換え可能なロック機構を更に具備する方が好ましい。この場合、上記ロック機構は、上記上部枠の両側片に回動可能に装着される一対の回動板と、これら両回動板の外周部に連結される扉体固定片と、上記回動板の外面における偏心位置に突設される操作突起に係合して上記回動板と扉体固定片を上記扉体の移動阻止位置と、解除位置に切り換える工具と、を具備する構造とする方がよい。
【００１８】
このように構成することにより、隔て板を構成する両側枠を残して開設される開口の上下端部に固定される上部枠と下部枠との間に、いわゆる「けんどん式」に嵌め込まれた扉体の不用意な取外しをロック機構のロック状態によって阻止することができる。また、回動操作によって扉体のロック状態とロック解除状態を切り換えることができる。
【発明の効果】
【００１９】
この発明によれば、上記のように構成されているので、以下のような優れた効果が得られる。
【００２０】
隔て板を構成する両側枠を残して開設される開口の上下端部に固定される上部枠と下部枠との間に扉体をいわゆる「けんどん式」により落とし込んで嵌め込むことができると共に、レバー回動操作により扉体を下方に押圧して、扉体を支持する支持ピンを剪断破壊することによって扉体を下部枠の内向き凹溝の下部まで移動すると共に、扉体の上端縁を上部枠の下向き凹溝よりも下方に位置させて扉体を押し倒すことにより、広い開口を確保することができる。したがって、隔て板を構成する扉体を破壊することなく、開口の全域を占める扉体を押し倒して広い開口を確保することができるので、避難時には避難開口には破片が発生せず、安全である。また、扉体は破壊しないので、再利用を可能にすることができる。
【００２１】
また、ロック機構により上部枠の下向き凹溝内に位置する上記扉体の上方移動の阻止と、移動阻止の解除が切り換え可能であるので、平常時には、ロック機構をロック状態にすることで、隣家間のプライバシーの保護が図れる。また、ベランダ等の空間のメンテナンス（防水、塗装等の改修作業）時には、ロック機構をアンロック（ロック解除）状態にし、扉体を取外して作業者の通行を可能にすることができるので、メンテナンス作業を容易に行うことができる。この場合、ロック機構は、上部枠の両側片に回動可能に装着される一対の回動板の外周部に連結される扉体固定片と、回動板の外面における偏心位置に突設される操作突起に係合して回動板と扉体固定片を扉体の移動阻止位置と、解除位置に切り換える特殊な工具と、を具備することにより、扉体が不用意に開閉することがないので、更に隣家間のプライバシーの保護が図れる。
【図面の簡単な説明】
【００２２】
【図１】この発明に係る隔て板の設置状態を示す正面図である。
【図２】上記隔て板の設置状態を示す斜視図である。
【図３】上記隔て板の斜視図である。
【図４】上記隔て板の扉体の支持状態を示す縦断面図（ａ）及び扉体の支持解除状態を示す縦断面図（ｂ）である。
【図５】この発明における支持ピンの扉体の支持状態を示す拡大断面図（ａ）及び支持ピンの破壊状態を示す拡大断面図（ｂ）である。
【図６】この発明におけるレバーの取付状態を示す要部正面図（ａ）及び（ａ）のＩ−Ｉ線に沿う断面図（ｂ）である。
【図７】上記レバーの取付状態を示す斜視図である。
【図８】この発明における上部枠、レバー及び上部枠小口キャップを示す分解斜視図である。
【図９】上記支持ピンによる扉体の支持状態を示す要部正面図である。
【図１０】上記支持ピンの取付状態を示す横断面図（ａ）及び（ａ）のII部拡大断面図（ｂ）である。
【図１１】上記支持ピンによる扉体の支持状態を示す斜視図である。
【図１２】この発明における下部枠と下部枠小口キャップを示す分解斜視図である。
【図１３】この発明における扉体の構成部材と開口枠部材を示す分解斜視図である。
【図１４】避難時の扉体の開放手順を示す概略斜視図である。
【図１５】避難時の扉体の開放状態を示す縦断面図である。
【図１６】この発明におけるロック機構の解除状態を示す縦断面図である。
【図１７】この発明におけるロック機構のロック状態を示す斜視図である。
【図１８】上記ロック機構のロック解除状態を示す斜視図である。
【図１９】この発明におけるロック操作用工具を示す斜視図である。
【発明を実施するための形態】
【００２３】
以下に、この発明に係る隔て板の実施形態を添付図面に基づいて詳細に説明する。
【００２４】
この発明に係る隔て板１は、図１及び図２に示すように、マンション等の集合住宅のベランダ２における隣家間の境界部分の建物の躯体３とベランダ２のスラブ４に設置固定されて、隔て板１を構成する方形状に形成された一対の側枠５ａと、上部横枠５ｂ，下部横枠５ｃ及び仕切り横枠５ｄからなる枠材５と、枠材５内に嵌め込まれる例えば珪酸カルシウムボードや、フレキシブルボード（繊維強化セメント板）のような破壊可能な材料からなる板材６と、両側枠５ａと仕切り横枠５ｄと下部横枠５ｃによって開設される開口７に着脱可能に取り付けられる扉体８とを備えている。
【００２５】
この場合、隔て板１は、図４に示すように、隔て板１を構成する両側枠５ａを残して開設される開口７の上端開口縁である仕切り横枠５ｄに固定ねじ９ａによって固定される下向き凹溝１１を有する上部枠１０と、開口７の下端開口縁に固定ねじ９ｂによって固定される上向き凹溝２１を有する下部枠２０との間に、着脱可能すなわちいわゆる「けんどん式」の落とし込みにより嵌め込まれている。なお、開口７を形成する側枠５ａの開口側には、側部枠２５に固定ねじ９ｃによって固定されている。
【００２６】
上部枠１０及び下部枠２０は夫々例えばアルミニウム製押出形材にて断面コ字状に形成されており、長手方向の両端部には、それぞれ合成樹脂製の上部枠小口キャップ１２，下部枠小口キャップ２２が被着されている。これら上部枠小口キャップ１２と下部枠小口キャップ２２は、同様に形成されており、図１２を参照して下部枠小口キャップ２２を代表して説明すると、下部枠小口キャップ２２は、下部枠２０の長手方向の端部の開口（小口）を閉塞する蓋部２２ａと、蓋部２２ａの両側に下部枠２０の側片２１ａの外側面に当接する側縁部２２ｂと、蓋部２２ａの閉塞側面に突設され、下部枠２０の側片２１ａの内面に当接する一対の脚片２２ｃとで構成されている。なお、下部枠小口キャップ２２の脚片２２ｃを下部枠２０の側片２１ａの内面に当接することにより、下部枠２０の上向き凹溝２１と扉体８との寸法差による隙間を少なくすることができるので、風圧等による扉体８のガタツキを抑制することができる。
【００２７】
また、上部枠１０には、下向き凹溝１１内に位置する扉体８の上方移動の阻止（ロック状態）と、移動阻止の解除（アンロック状態）が切り換え可能なロック機構４０が設けられている。更に、上部枠１０には、下向き凹溝１１内に位置する扉体８の上端部を押圧する緊急操作用のレバー５０が回動可能に軸支されている。
【００２８】
また、下部枠２０には、上向き凹溝２１内に位置する扉体８の厚さ方向の下端縁と当接して扉体８を支持する複数例えば扉体８の幅方向の両端側に位置する２個の剪断可能な支持ピン７０が横架されている。
【００２９】
なお、側部枠２５は例えばアルミニウム製押出形材にて形成されており、断面中空矩形状の基部２５ａと、基部２５ａの一側面の両側から平行に突出する一対の脚片２５ｂとを具備している。
【００３０】
上記レバー５０は、例えばアルミニウム製部材にて形成されており、図６ないし図８に示すように、互いに平行な長尺状の一対の側片５１の基端側の一端部の上縁部が連結片５２にて連結され、自由端側の他端部の両側片５１の下縁部から外側すなわち扉体８の表裏面側に直交状に延在する操作片５３が突設されている。なお、操作片５３の外面には合成樹脂製の皮膜材がコーティングされている。
【００３１】
また、レバー５０の基端側の両側片５１には、レバー５０を回動可能に軸支する枢支軸５４が挿通可能な第１の挿通孔５１ａが穿設されると共に、第１の挿通孔５１ａより内方側の位置には、一定の荷重によって剪断可能な合成樹脂製の係止ピン５５が挿通可能な第２の挿通孔５１ｂが穿設されている。更には、レバー５０の両側片５１の第２の挿通孔５１ｂより内方側の位置には、レバー５０の回動によって扉体８の上端部を押圧する例えばステンレス製の押圧ピン５６が横架されている。
【００３２】
レバー５０は、上部枠１０の中央部より端部側に偏倚した位置の両側片５１を貫通する枢支軸５４が第１の挿通孔５１ａに挿通されて回動可能に軸支されると共に、枢支軸５４に巻装されるばね部材例えば捻りばね５７の弾発力の付勢によって常時上部枠１０の下向き凹溝１１内に格納されている。この場合、捻りばね５７は、枢支軸５４の外周に巻装されるコイル部５７ａの一端から軸線に対して直交状に延在する第１の係止部５７ｂが上部枠１０の上部片１１ｄの内面に係止し、コイル部５７ａの他端から軸線に対して直交状に延在する第２の係止部５７ｃがレバー５０の連結片５２の下面に係止している。
【００３３】
捻りばね５７の弾発力の付勢によって上部枠１０の下向き凹溝１１内に格納されるレバー５０は、上部枠１０の側片１１ａとレバー５０の第２の挿通孔５１ｂを挿通する係止ピン５５によって不用意に回動しないように構成されている。なお、係止ピン５５は後述する支持ピン７０と同様に形成されており、一定の荷重によって剪断可能に形成されている。
【００３４】
上記支持ピン７０は、図４及び図１０に示すように、下部枠２０の上向き凹溝２１の両側壁すなわち下部枠２０の側片２１ａの近傍に中空部７１が形成されると共に、中央部に中実部７２が形成されている。また、支持ピン７０は、図１０に示すように、下部枠２０の一方の側片２１ａに設けられた貫通孔２１ｂを貫通する第１の支持ピン半体７３と、下部枠２０の他方の側片２１ａに設けられた貫通孔２１ｂを貫通する第２の支持ピン半体７４とで構成されている。この場合、第１の支持ピン半体７３は、下部枠２０の側片２１ａの外側に位置する頭部７３ａと、貫通孔２１ｂ内に貫挿される大径部７３ｂと、大径部７３ｂの先端に段部７３ｃを介して延在する小径部７３ｄとを備え、小径部７３ｄの先端から大径部７３ｂに渡って中空部７１が形成されている。一方、第２の支持ピン半体は、下部枠２０の側片２１ａの外側に位置する頭部７４ａと、貫通孔２１ｂ内に貫挿される大径部７４ｂと、大径部７４ｂの先端に段部７４ｃを介して延在する小径部７４ｄと、小径部７４ｄの先端に段部７４ｅを介して延在する挿入端部７４ｆとを備え、頭部７４ａから大径部７４ｂを介して小径部７４ｄの中間部に渡って中空部７１が形成され、小径部７４ｄの先端側と挿入端部７４ｆに中実部７２が形成されている。
【００３５】
上記のように形成される支持ピン７０は、下部枠２０の両側片２１ａの外方から下部枠２０の上向き凹溝２１内に夫々第１の支持ピン半体７３と第２の支持ピン半体７４を挿入し、第１の支持ピン半体７３の小径部７３ｄの開口部と、第２の支持ピン半体７４の挿入端部７４ｆとを嵌合して連結することで、下部枠２０に横架されて扉体８の下端部を支持する（図４（ａ）、図１１参照）。扉体８を支持した状態で、支持ピン７０は、下部枠２０の上向き凹溝２１の両側壁すなわち下部枠２０の側片２１ａの近傍に中空部７１が形成されると共に、中央部に中実部７２が形成されるので、両側の中空部７１に荷重が加わることで剪断される。
【００３６】
次に、扉体８について図４，図５，図１０〜図１３を参照して説明する。上記扉体８は、板材６と同様の材料すなわち例えば珪酸カルシウムボードにて形成されている。また、扉体８の両側縁部には縦枠３０が装着され、扉体８の上縁部には上枠３２が装着され、扉体８の下縁部には下枠３４が装着されている。この場合、縦枠３０，上枠３２及び下枠３４は例えばアルミニウム製押出形材にて形成されている。なお、扉体８の表裏面における中央上部には吸盤８０が吸着可能な例えばアルミニウム又はステンレス製の取付板８１が貼着されている。
【００３７】
縦枠３０の外側には、扉体８と側部枠２５との隙間を塞ぐための扉パッキン３１が沿設されている。この場合、縦枠３０は、図１０に示すように、仕切壁３０ａによって区画される２つの中空部３０ｂ，３０ｃを有する中空矩形状基部３０ｄの一端に扉体８を構成する板材６の側縁部を嵌合する扉嵌合溝３０ｅを有しており、扉嵌合溝３０ｅの開口端には外側に向かうフランジ部３０ｆが形成されている。
【００３８】
なお、扉パッキン３１は、例えばポリエチレンフォーム（ＰＥ）又は発泡ＥＰＴ（エチレンプロピレンゴム）｛ＥＰＤＭともいう｝等の軟質の断面矩形状の部材にて形成されており、例えば両面接着テープや接着剤等によって縦枠３０の側部枠２５側面に固着されている。
【００３９】
上枠３２は、図４，図１６〜図１８に示すように、仕切壁３２ａによって区画される２つの中空部３２ｂ，３２ｃを有する中空矩形状基部３２ｄの一端に扉体８を構成する板材６の側縁部を嵌合する扉嵌合溝３２ｅが形成されている。
【００４０】
下枠３４は、図４，図５，図１０〜図１２に示すように、仕切壁３４ａによって区画される２つの中空部３４ｂ，３４ｃを有する中空矩形状基部３４ｄの一端に扉体８を構成する板材６の側縁部を嵌合する扉嵌合溝３４ｅを有しており、扉嵌合溝３４ｅの開口端には外側に向かうフランジ部３４ｆが形成されている。また、中空矩形状基部３４ｄの他端すなわち下端部の長手方向に沿う両側には、支持ピン７０の両側中空部７１を剪断破壊するための一対の２条の突条片３５ａ，３５ｂが設けられている。この場合、２条の突条片３５ａ，３５ｂのうちの内側の突条片３５ａは支持ピン７０の中実部７２側の中空部７１を剪断し得る位置に設けられ、外側の突条片３５ｂは支持ピン７０の下部枠２０側の中空部７１を剪断し得る位置に設けられている（図４（ａ）及び図５（ａ）参照）。
【００４１】
次に、ロック機構４０について、図１６ないし図１８を参照して説明する。ロック機構４０は、上部枠１０の両側片１１ａに回動可能に装着される一対の回動板４１と、これら両回動板４１の外周部に連結される扉体固定片４２と、回動板４１の外面における偏心位置に突設される２個の操作突起４３に係合して回動板４１と扉体固定片４２を扉体８の移動阻止位置（以下にロック位置という）と、解除位置（以下にアンロック位置という）に切り換える工具６０と、を具備する。
【００４２】
この場合、回動板４１と扉体固定片４２とは例えばステンレス製部材によって一体に形成されている。すなわち、一対の円板にて形成される回動板４１の外周の一部を例えばプレス加工により屈曲して板状の扉体固定片４２が一体に形成される。なお、扉体固定片４２の一側辺部には係止片４２ａが扉体固定片４２に対して直交状に延設されている。
【００４３】
また、回動板４１は、下向き凹溝１１を構成する両側片１１ａに設けられた開口部１１ｃ内に回動可能に配設されており、回動板４１の外面側に円形に形成される回動パッキン４４を介在して回動板４１より大径円形の回動板抜け止め円板４５が図示しないねじによって固定されて上部枠１０から抜け出ないようになっている。回動板抜け止め円板４５の中心には、工具６０の操作軸部６３が挿入可能な貫通孔４１ａが設けられている。また、回動板４１の偏心位置に突設される２個の操作突起４３は、回動板抜け止め円板４５及び回動パッキン４４を貫通して回動板４１にねじ固定されている。また、下向き凹溝１１の底部を構成する上部枠１０の上部片１１ｄには、回動板４１と共に回動する扉体固定片４２のアンロック位置を規制するための位置規制ねじ４６が上部片１１ｄにねじ結合された状態で垂下されている。このように位置規制ねじ４６を設けることによって、回動板４１と共に扉体固定片４２がロック位置から９０度回動すると、扉体固定片４２に延設された係止片４２ａの先端が位置規制ねじ４６に当接して回動板４１すなわち扉体固定片４２のアンロック位置が規制される。
【００４４】
また、上部枠１０におけるロック機構４０の取付部には回動板４１を外部から目隠しするカバー部材４７が固定ねじ９ｃによって固定されている。この場合、カバー部材４７は、回動板４１を覆う截頭円錐状の頭部４７ａと、頭部４７ａの外周に延設される略楕円形状のフランジ部４７ｂとからなるハット状に形成されており、フランジ部４７ｂを貫通する固定ねじ９ｃによって固定されている。また、頭部４７ａの頂部中心位置には、２個の操作突起４３を回転させることが可能な工具６０の操作軸部６３が挿通可能な鍵孔４７ｃが穿設されている。また、頭部４７ａの頂部の中心と同心円上の１箇所には窓孔４７ｄが設けられている。この窓孔４７ｄは、回動板４１と一体に回動する回動板抜け止め円板４５の同心円上に施されたロック確認用目印４８が外部から確認できるようにしたものである。
【００４５】
上記工具６０は、図１９に示すように、断面円形のＬ字状の基部６１の一端に、ロック機構４０の回動板４１に突設された２個の操作突起４３に係合する一対の係合部６２を対称方向に突設する略Ｔ字状の操作軸部６３を有するステンレス製の専用工具にて形成されている。
【００４６】
次に、上記実施形態に係る隔て板１の施工手順について説明する。まず、既設の隔て板１における両側枠５ａと、下部横枠５ｃ及び仕切り横枠５ｄに嵌め込まれている板材６を取り外して開口７を形成する。次に、上部枠１０、下部枠２０及び側部枠２５を開口７の寸法に合わせて切断する。
【００４７】
予め工場において、上部枠１０の下向き凹溝１１内に、枢支軸５４と捻りばね５７を介してレバー５０を回動可能に枢支すると共に、係止ピン５５によってレバー５０の不用意な回動を阻止した状態に組み立てて出荷する。現場において、レバー５０が組み込まれた上部枠１０の長手方向の両端開口（小口）に上部枠小口キャップ１２を被着する。一方、下部枠２０の長手方向の両側に設けられた貫通孔２１ｂを介して上向き凹溝２１内に挿入される第１及び第２の支持ピン半体７３，７４を上向き凹溝２１内で嵌合・連結して支持ピン７０を横架し、下部枠２０の長手方向の両端開口（小口）に下部枠小口キャップ２２を被着する。そして、上部枠１０、下部枠２０、側部枠２５を既存の隔て板１の仕切り横枠５ｄ、下部横枠５ｃ及び側枠５ａの中心に当て、ドリルで下孔をあけ、固定ねじ９ａ，９ｂ，９ｃによって、上部枠１０を仕切り横枠５ｄに固定し、下部枠２０を下部横枠５ｃに固定し、側部枠２５を側枠５ａに固定する。なお、支持ピン７０の下部枠２０への取付作業は、下部枠２０を下部横枠５ｃに固定した後に行ってもよい。
【００４８】
一方、扉体８を構成する板材６を開口寸法に合わせて切断し、切断された板材６の上下及び両側縁部に上枠３２、下枠３４及び縦枠３０を装着する。
【００４９】
上記のように構成された扉体８を開口７に取り付けるには、「けんどん式」で嵌め込む。すなわち、まず、扉体８に設けられた取付板８１に吸盤８０を吸着して一方の手で扉体８の上部を保持し、他方の手で扉体８の下枠３４に設けられたフランジ部３４ｆを掴んで、扉体８を持ち上げ、扉体８の上端部を上部枠１０の下向き凹溝１１内に差し込む。次いで、扉体８を垂直にして、扉体８の下端部を下部枠２０の上向き凹溝２１内に落とし込む。
【００５０】
開口７内に扉体８を嵌め込んだ後、上部枠１０に予め装着されたロック機構４０のカバー部材４７に設けられた鍵孔４７ｃに工具６０の操作軸部６３を挿入し、工具６０に設けられた係合部６２を回動板４１に設けられた操作突起４３に係合させた状態で工具６０によって回動板４１を鉛直方向に９０度回動して、アンロック位置にある扉体固定片４２を扉体８の上端部に移動して扉体８の上方への移動を阻止し、扉体８をロック状態にする。これにより扉体８の取り付けが完了する。
【００５１】
次に、緊急時に扉体８を開放して避難する場合の手順について、図１〜図５，図１４及び図１５を参照して説明する。図１４（ａ）に示すように隔て板１の開口７に扉体８が取り付けられた状態で、レバー５０の操作片５３を下方に押し下げる。すると、係止ピン５５は支持ピン７０と同様に中実部７２と中空部７１を有しているので、所定の荷重以上の力が係止ピン５５に加わると、係止ピン５５が剪断破壊して、レバー５０が回動する。レバー５０の回動に伴ってレバー５０に取り付けられた押圧ピン５６が扉体８の上端部すなわち上枠３２の上端縁に当接して扉体８を下方に押圧する。すると、扉体８の下枠３４の下端部に設けられた突条片３５ａ，３５ｂが支持ピン７０の中実部７２側と上向き凹溝２１側の中空部７１に向かって突入して支持ピン７０を剪断破壊する（図４（ｂ），図５（ｂ）参照）。支持ピン７０が破壊することによって扉体８が下部枠２０の上向き凹溝２１内の底部に落とし込まれ、扉体８の上端部が上部枠１０の下方に位置する。このとき、レバー５０の回動操作を解除すると、捻りばね５７の弾発力の付勢によってレバー５０は上部枠１０の下向き凹溝１１内に復帰（格納）する。この状態で、図１５に示すように扉体８を足で一方側へ押し倒すことによって、扉体８は開放され、開口７を避難通路として確保することができる（図１４（ｃ）参照）。したがって、扉体８は破壊されずに、広い開口７を確保することができるので、避難者は安全にかつ迅速に避難することができる。
【００５２】
なお、マンションの改修工事（防水、塗装等の改修作業）が必要となった場合は、ロック機構４０のロック状態を解除することによって扉体８を取り外すことができる。すなわち、まず、工具６０の操作軸部６３をロック機構４０のカバー部材４７に設けられた鍵孔４７ｃに挿入し、工具６０に設けられた係合部６２を回動板４１に設けられた操作突起４３に係合させた状態で工具６０によって回動板４１を鉛直方向に９０度回動して、ロック位置にある扉体固定片４２を上方のアンロック位置に移動する。
【００５３】
次に、扉体８に設けられた取付板８１に吸盤８０を吸着して一方の手で扉体８の上部を保持し、他方の手で扉体８の下枠３４に設けられたフランジ部３４ｆを掴んで、扉体８を持ち上げる。この状態で、扉体８の下端部を開口７の外側に移動し、扉体８を斜め下方に移動して、扉体８の上端部を上部枠１０の下向き凹溝１１内から引き出して扉体８を開口７から取り外すことができる。
【００５４】
なお、扉体８が取り付けられた平常時において、悪戯等によって万が一レバー５０が押し下げられて係止ピン５５が剪断破壊し、レバー５０が回動したとしても、下部枠小口キャップ２２の脚片２２ｃにより、下部枠２０の上向き凹溝２１と扉体８との隙間が小さいので、扉体８の倒れを少なくすることができる上、扉体８の上端部は回動した状態のレバー５０に係止する。したがって、避難時以外に不用意に扉体８は開放することがない。
【００５５】
上記実施形態の隔て板１によれば、避難時には、レバー５０の回動操作により扉体８を下方に押圧して、扉体８を支持する支持ピン７０を剪断破壊することによって扉体８を下部枠２０の上向き凹溝２１の下部まで移動して扉体８を押し倒すことにより、広い避難開口を確保することができるので、避難者は安全にかつ迅速に避難することができる。
【００５６】
また、上記実施形態の隔て板１によれば、隔て板１を構成する両側枠５ａを残して開設される開口７の上下端部に固定される上部枠１０と下部枠２０との間に扉体をいわゆる「けんどん式」に嵌め込むことができるので、改修作業時には、開口７の全域を占める扉体８を取り外して広い通路開口を確保することができる。
【００５７】
また、ロック機構４０により、平常時には、ロック機構４０をロック状態にすることで、隣家間のプライバシーの保護が図れる。また、ロック機構４０は、上部枠１０の両側片１１ａに回動可能に装着される一対の回動板４１の外周部に連結される扉体固定片４２と、回動板４１の外面における偏心位置に突設される操作突起４３に係合して回動板４１と扉体固定片４２を扉体８のロック位置と、アンロック位置に切り換える特殊な工具を用いるので、扉体８が不用意に開閉することがないので、隣家間のプライバシーの保護が図れる。
【００５８】
なお、上記実施形態では既存の隔て板１に扉体８を取り付ける場合について説明したが、隔て板１の枠材５の仕切り横枠５ｃと上部枠１０、下部横枠５ｃと下部枠２０とを一体に形成すれば、新規の隔て板１にも適用できることは勿論である。
【符号の説明】
【００５９】
１  隔て板
５  枠材
６  板材
７  開口
８  扉体
１０  上部枠
１１  下向き凹溝
２０  下部枠
２１  上向き凹溝
３０  縦枠
３２  上枠
３４  下枠
３４ｆ  フランジ部
３５ａ，３５ｂ  突条片
４０  ロック機構
５０  レバー
５３  操作片
５４  枢支軸
５５  係止ピン
５６  押圧ピン
５７  捻りばね（ばね部材）
６０  工具
６２  係合部
６３  操作軸部
７０  支持ピン
７１  中空部
７２  中実部
８０  吸盤
８１  取付板
【図１】
0005686409.tif 000002
【図２】
0005686409.tif 000003
【図３】
0005686409.tif 000004
【図４】
0005686409.tif 000005
【図５】
0005686409.tif 000006
【図６】
0005686409.tif 000007
【図７】
0005686409.tif 000008
【図８】
0005686409.tif 000009
【図９】
0005686409.tif 000010
【図１０】
0005686409.tif 000011
【図１１】
0005686409.tif 000012
【図１２】
0005686409.tif 000013
【図１３】
0005686409.tif 000014
【図１４】
0005686409.tif 000015
【図１５】
0005686409.tif 000016
【図１６】
0005686409.tif 000017
【図１７】
0005686409.tif 000018
【図１８】
0005686409.tif 000019
【図１９】
0005686409.tif 000020